(57)【要約】【課題】  残留原稿が通常の原稿と混同することなく、操作者が確実に読取終了していない残留原稿を正確に再読取できる画像読取装置を提供する。【解決手段】原稿を搬送路に給送する給送手段と、搬送路に沿って原稿を搬送する搬送手段と、搬送手段により搬送される原稿の画像を読み取るための読取手段と、を備える画像読取装置において、搬送手段による原稿の搬送が中断された場合、搬送路に残った残留原稿を検知する検知手段が残留原稿を検知したとき、残留原稿に関する情報を出力する手段を備える。【選択図】図３
2010245661.tif 000002
【特許請求の範囲】
【請求項１】
原稿を搬送路に給送する給送手段と、
前記搬送路に沿って原稿を搬送する搬送手段と、
前記搬送手段により搬送される原稿の画像を読み取るための読取手段と、
を備える画像読取装置において、
前記搬送手段による原稿の搬送が中断された場合、前記搬送路に残った残留原稿を検知する検知手段が残留原稿を検知したとき、
前記残留原稿に関する情報を出力する手段
を備えることを特徴とした画像読取装置。
【請求項２】
更に、複数の排紙トレイを備え、
前記残留原稿のうち、画像読取が終了していない原稿を特定の排紙トレイに排紙する事を特徴とする請求項１に記載の画像読取装置。
【請求項３】
更に、前記原稿の磁気データを読み取るための第２読取手段を備え、
前記残留原稿の再読取を行う際に、
前記残留原稿の磁気データと、再読取された原稿の磁気データを比較し、再読取された原稿が、画像読取が終了していない残留原稿と異なる場合、警告表示を行う事を特徴とした請求項１又は２に記載の画像読取装置。
【請求項４】
更に、前記原稿の磁気データを読み取るための第２読取手段を備え、
前記残留原稿の再読取を行う際に、
前記残留原稿の磁気データ、画像データと、再読取された原稿の磁気データ、画像データを比較し、再読取された原稿が、画像読取を終了している原稿と同じ原稿であった場合、警告表示を行う事を特徴とした請求項１、又は２に記載の画像読取装置。
【請求項５】
更に、原稿の磁気データを読み取るための第２読取手段を備え、
前記残留原稿の再読取を行う際に、
前記残留原稿の磁気データ、画像データと、再読取された原稿の磁気データ、画像データを比較し、再読取された原稿が、画像読取が終了している原稿と同じ原稿であった場合、再読取された原稿の画像データを破棄、または画像読取が終了している画像データを書き換えする事を特徴とした請求項１、又は２に記載の画像読取装置。
【請求項６】
前記残留原稿の磁気データ、画像データと、再読取された原稿の磁気データ、画像データを記憶するための原稿情報記憶手段を持ち、
前記原稿情報記憶手段には少なくとも原稿毎の紙番号と、紙番号に対応する磁気データと、原稿画像の読取を終了したかを示すフラグと
を含む事を特徴とした請求項３至５のいずれか１項に記載の画像読取装置。
【請求項７】
原稿を搬送路に給送する給送手段と、
前記搬送路に沿って原稿を搬送する搬送手段と、
前記搬送手段により搬送される原稿の画像を読み取るための読取手段と、
を備える画像読取装置において、
前記搬送手段による原稿の搬送が中断された場合、前記原稿搬送路に残った残留原稿を検知する検知手段と、
前記検知手段により検知された残留原稿の原稿情報と、該残留原稿を再読取した原稿情報を比較すること
を特徴とした画像読取装置。
【請求項８】
前記原稿情報は、磁気データ、画像データのいずれかひとつ、または組み合わせを含むことを特徴とする請求項７に記載の画像読取装置。
【発明の詳細な説明】
【技術分野】
【０００１】
本発明は、例えば、公共料金の請求書やサービスの申込書、或いは手形や小切手等の原稿の画像を読み取る画像読取装置に関するものである。
【背景技術】
【０００２】
近年、多数の原稿を連続給紙する画像読取装置や画像形成装置が広く普及している。このような画像読取装置や画像形成装置では、原稿の読込及び形成速度を上げるために原稿の間隔を極力短くしている。一般的に画像読取及び印刷速度が高いほど、原稿搬送路内に同時に流れる原稿の枚数は多くなる傾向にある。
一般に原稿搬送路内でジャムが発生した場合は、画像読取及び形成装置はジャムの原因となった原稿の除去を操作者に促す。ここで、原稿搬送路内を常に一枚の原稿しか流れないタイプの画像読取及び形成装置では、操作者が原因となっている原稿を取り除けば、原稿読取及び形成が再開できる。しかし、近年の原稿読取及び形成速度の高速化によって、原稿搬送路内に複数枚の原稿が流れるケースが増えてきている。このケースでは、ジャムの原因となった原稿を取り除くだけでなく、画像読取及び形成途中の原稿も取り除く必要がある。ジャムの原因原稿以外で原稿搬送路に残る原稿を残留原稿と呼ぶ事にする。
【０００３】
画像読取装置では原稿を搬送する搬送路を保護するための本体カバーを持つ物が多い。もし前記本体カバーが開いた時に稼動部が稼動していると、操作者が稼動部に触れてケガをする可能性がある。そのため、前記本体カバーを開けたら触る事ができる稼動部については、動力を遮断する。よって、原稿搬送中に前記本体カバーが開かれた場合には、原稿搬送路に残留原稿が残る事がある。
【０００４】
以上の理由で発生する残留原稿のうち、画像読取センサを通過した原稿に関しては画像読取が完了しており、画像読取センサを通過していない原稿は画像読取が終了しておらず再度画像読取をしなくてはならない。残留原稿のうち、原稿読取が終了していない原稿が通常原稿(すなわち正常に処理が完了した原稿)と混ざってしまうことは望ましくない。
そこで、特許文献１では、残留原稿（画像形成完了していない印刷用紙）が発生したら、使用者が予め選択した残留原稿用排紙トレイに残留原稿を排出する事で、限られた排紙トレイで残留原稿とそれ以外（正常な画像形成処理をされた印刷用紙）を分離する印刷装置が開示されている。
【先行技術文献】
【特許文献】
【０００５】
【特許文献１】特登録０３６５３９７９号公報
【発明の概要】
【発明が解決しようとする課題】
【０００６】
しかしながら、特許文献１の印刷装置では、残留原稿（画像形成完了していない印刷用紙）の再読取を行わずに廃棄されるため、残留原稿のページ順等の考慮はされていない。したがって、残留原稿を再読取する際に、抜けページやページ順違いが発生するという問題があった。
本発明は、上述の問題に鑑みてなされたものであり、残留原稿が通常の原稿と混同することなく、読取終了していない残留原稿を正確に再読取できる画像読取装置を提供することを目的とする。
【課題を解決するための手段】
【０００７】
上記目的を達成するために、本発明によれば、
原稿を搬送路に給送する給送手段と、
前記搬送路に沿って原稿を搬送する搬送手段と、
前記搬送手段により搬送される原稿の画像を読み取るための読取手段と、
を備える画像読取装置において、
前記搬送手段による原稿の搬送が中断された場合、前記搬送路に残った残留原稿を検知する検知手段が残留原稿を検知したとき、
前記残留原稿に関する情報を出力する手段
を備えることを特徴とする画像読取装置が提供される。
【０００８】
また、本発明によれば、
原稿を搬送路に給送する給送手段と、
前記搬送路に沿って原稿を搬送する搬送手段と、
前記搬送手段により搬送される原稿の画像を読み取るための読取手段と、
を備える画像読取装置において、
前記搬送手段による原稿の搬送が中断された場合、前記原稿搬送路に残った残留原稿を検知する検知手段と、
前記検知手段により検知された残留原稿の原稿情報と、該残留原稿を再読取した原稿情報を比較すること
を備えることを特徴とする画像読取装置が提供される。
【発明の効果】
【０００９】
本発明によれば、残留原稿が通常の原稿と混同することなく、読取終了していない残留原稿を正確に再読取できる画像読取装置を提供することができる。
【図面の簡単な説明】
【００１０】
【図１】本発明の実施例である画像読取装置の構成図である。
【図２】警告表示の表示例である。
【図３】本体カバーが開けられた場合の画像読取装置の処理の流れを示すフローチャ            ートである。
【図４】チェックの一例である。
【図５】磁気文字部の文字の一例である。
【図６】テーブルの一例である。
【図７】読取再開後における画像読取装置の処理の流れを示すフローチャートである。
【発明を実施するための形態】
【００１１】
以下に本発明を実施する一実施形態を、図面を参照しながら説明する。
図１は、本発明における画像読取装置１００の構成図である。画像読取装置１００は、不図示の通信ケーブル等の通信手段を介して、不図示のホストコンピュータ（情報処理装置）と通信可能に接続されている。
図１において、１０１は第１排紙トレイ、１０２は第２排紙トレイ、１０３は第３排紙トレイ、１０４は給紙トレイ、１０５は原稿搬送用ローラ（搬送手段）、１０６は原稿搬送路、１０７は第１フラッパー、１０８は第２フラッパー、１０９は給紙ローラ（給送手段）、１１０は原稿検知センサ（検知手段）、１１１a、１１１bは画像読取センサ（読取手段）、１１２は排紙センサ、１１３は給紙センサ、１１４は磁気データ用センサである。
【００１２】
ユーザが給紙トレイ１０４に設置した原稿を、給紙ローラ１０９が原稿搬送路１０６に送る。原稿が１枚給紙される度に給紙センサ１１３が原稿を検出し、搬送系を制御するCPU（不図示）が給紙した枚数をカウントし、記憶する。原稿搬送用ローラ１０５は、原稿搬送路１０６に沿って設置されており、原稿搬送用ローラ１０５が回転することで原稿を搬送する。原稿搬送用ローラ１０５や給紙ローラ１０９は、ステッピングモータやDCモータなどを用いて駆動している。原稿搬送路１０６には複数の原稿検知センサ１１０が設置してあり、原稿の位置を検知している。
【００１３】
また、原稿の磁気データを読み取り、磁気データを基に複数の排紙トレイに振り分けて排紙する画像読取装置の場合、磁気データ用センサ１１４（第２読取手段）を原稿搬送路１０６の給紙口付近に設置することができる。磁気データ用センサ１１４を給紙口付近に設置することにより、給紙後すぐに磁気データを読み込め、原稿が排紙トレイに排紙されるまでの間に振り分け先を決定できる。
【００１４】
原稿を排紙する際、原稿の種類、埋め込まれた磁気データ、原稿画像などの情報を基にホストコンピュータが第１排紙トレイ１０１、第２排紙トレイ１０２、第３排紙トレイ１０３のいずれに排紙するかを選択する。選択したトレイに原稿が排紙されるように第１フラッパー１０７と第２フラッパー１０８を動作させる。
第１フラッパー１０７、第２フラッパー１０８は、ソレノイドを動力としており、第１フラッパー１０７及び第２フラッパー１０８を制御するソレノイドに電力が供給されていない状態では、原稿は第３排紙トレイ１０３に排紙される構成をしている。
この場合は、第３排紙トレイ１０３を残留原稿用トレイとする。
【００１５】
原稿搬送中に本体カバーを開けられた場合、ユーザが原稿搬送用ローラ１０５などの稼動部に触れてケガをしないために、制御部（不図示）は、原稿搬送用ローラ１０５や第１フラッパー１０７と第２フラッパー１０８を停止させ、原稿の搬送を中断する。
原稿の表面・裏面を各々読み取る画像読取センサ１１１a、１１１bは、原稿搬送路１０６に設置され、一定速度で搬送される原稿の原稿画像を一定周期で読み取ることで原稿画像を読み取る事ができる。なお、画像読取センサ１１１a、１１１bは、この構成に限らず原稿搬送路１０６内のどの位置に設置されてもよい。
【００１６】
画像読取センサ１１１a、１１１bが読み取った画像は、ホストコンピュータに転送され、原稿画像の情報から排紙する排紙トレイを選択し、第１フラッパー１０７と第２フラッパー１０８を各排紙トレイに対応する方向に変更する。
また、画像読取センサ１１１ｂは、原稿が読み取られる度に原稿を検出し、搬送系を制御するCPUが読み取った枚数をカウントし、記憶する。
【００１７】
原稿画像の情報以外にも、磁気データ用センサ１１４を利用して埋め込まれた磁気データを読み込み、原稿の磁気データによって排紙する排紙トレイを選択し、第１フラッパー１０７と第２フラッパー１０８を各排紙トレイに対応する方向に変更してもよい。  ジャム処理や操作者の誤操作によって、原稿搬送路１０６内に残留原稿が発生した場合には、まず残留原稿の位置を確認する。具体的には、原稿搬送路１０６内に多数設置された原稿検知センサ１１０が、残留原稿のある位置を検知する。
【００１８】
画像読取センサ１１１ｂよりも排紙トレイ側にある原稿に関しては、画像読取が終わっていると判断できる。これらの原稿は第１排紙トレイ１０１と第２排紙トレイ１０２のうち、適した排紙トレイに振り分ける。
画像読取センサ１１１ｂよりも給紙トレイ１０４側に存在している原稿は、画像読取が正常に終了していないと判断できる。これらの原稿は再読取対象として第３排紙トレイに排紙する。
そして、第３排紙トレイに排紙された原稿は、正しいページ順になるように操作者に注意を促す。具体的な方法は図２と図３を用いて説明する。
【００１９】
図２は、警告表示の表示例である。図２の様なメッセージをホストコンピュータのディスプレイや、画像読取装置１００に表示用LCDディスプレイを設け、再読取が必要な原稿が第３排紙トレイ１０３に排紙されたら、表示用LCDディスプレイに表示（出力）し、操作者に再読取が必要な原稿の枚数を通知する。なお、表示は再読取が必要な原稿の枚数に限定されず、例えば、給紙センサ１１３で検出し給紙した枚数と画像読取センサ１１１ｂで検出し読み取った枚数等、残留原稿に関する情報であればよい。
【００２０】
また、原稿の枚数は、CPUが給紙センサ１１３で検出し給紙した枚数から、画像読取センサ１１１ｂで検出し読み取った枚数を引くことにより算出し表示する（出力する）。
また、パルスモータを使っている場合に、原稿検知センサ１１０を通過してからパルスモータに出力したパルス数をカウントして、原稿が排紙されるパルス数に到達したら排紙されたと判断してもよい。
【００２１】
原稿搬送中のジャム原稿を取り除く際に、本体カバーを開けて残留原稿が発生した場合の処理について図３のフローチャートを用いて説明する。
図３での各処理は、画像読取装置１００の不図示のROMやハードディスク等に記憶された制御プログラムがRAM（不図示）にロードされて、CPUにより実行される。
【００２２】
図３は、ジャム原稿処理のために画像読取装置１００の本体カバーが開けられた場合の画像読取装置１００の動作を説明するフローチャートである。
ジャムを検知したら、操作者にジャムが発生した旨を通知し、ジャムの原因になった原稿を取り除く事を通知する(S３０１)。
操作者が本体カバーを開けて(S３０２)、ジャムの原因となった原稿を取り除く(S３０３)。操作者はジャムの原因となった原稿を取り除いた後、画像読取再開のために本体カバーを閉じる(S３０４)。
【００２３】
本体カバーが閉じられると（S３０４のYES）、原稿検知センサ１１０の検知結果を用いて、残留原稿がある位置を特定する。この時、残留原稿のうち、画像読取センサ１１１bを通過し排紙トレイ側にある原稿は読取済とし、画像読取センサ１１１bを通過していない原稿は再読取対象とする。残留原稿を読取済の原稿と再読取対象の原稿に判別した後に、読取完了した原稿と再読取対象となった原稿の磁気データや画像データなどの原稿データをCPUに保存しておく(S３０５)。
【００２４】
残留原稿を各排紙トレイに排紙する。原稿搬送用ローラ１０５を回転させ、第１フラッパー１０７、第２フラッパー１０８を操作し、読取済みの原稿を適した排紙トレイに排紙する。再読取対象の原稿については第３排紙トレイ１０３に排紙するように第１フラッパー１０７、第２フラッパー１０８を操作し排紙する。原稿を排紙すると共に、再読取対象の枚数を操作者に通知する(S３０６)。
原稿搬送用ローラ１０５を回転させた後、原稿搬送路１０６に設置されている原稿検知センサ１１０の信号を検知して、原稿搬送路１０６に原稿があるかどうかを確認する(S３０７)。
【００２５】
原稿有りの信号を受信すれば（S３０７のYES）、ジャムと判断し再び原因の原稿除去を要求し、S３０１の処理を繰り返す。  S３０７で原稿検知センサ１１０が原稿無しと検知すれば（S３０７のNO）、再読取対象の残留原稿は全て第３排紙トレイ１０３に排紙されている。再読取対象原稿枚数の表示を見た操作者は、第３排紙トレイ１０３に排紙されている再読取対象の残留原稿枚数と、表示されている再読取対象原稿枚数を確認し、排紙された残留原稿が先頭になるように給紙トレイ１０４に設置する。操作者が排紙された残留原稿を給紙トレイに設置している時に、画像読取装置１００は、再読取対象の原稿の再読取を要求する(S３０８)。
排紙された再読取対象の残留原稿を給紙トレイに設置した操作者が行う読取再開指示を待ち(S３０９)、読取再開指示で（S３０９のYES）画像読取は再開される(S３１０)
【００２６】
ジャム処理以外にも、操作者の誤使用で原稿搬送中に本体カバーが開けられた場合の処理を図３のフローチャートを用いて説明する。
原稿搬送中に本体カバーが開けられた場合、図３のS３０２に該当する。「本体カバーオープン」を検知したら(S３０２)、原稿搬送用ローラ１０５の動力を遮断し、原稿搬送用ローラ１０５は停止する。操作者は誤使用に気づいて本体カバーを閉じると(S３０４)、原稿検知センサ１１０から、残留原稿がある位置を特定する。この後のフローは前記ジャム処理のフローと同様なため説明は省略する。
【００２７】
図１の様に磁気データ用センサ１１４は給紙センサ１１３に近い位置に設置されているので、画像読取センサ１１１a、１１１bを通過していない残留原稿でも、給紙後すぐに磁気データ用センサ１１４は通過する。磁気データ用センサ１１４を通過している原稿は、残留原稿の磁気データをCPUに保存できる。磁気データを持った原稿として代表的な物にチェックがある。図４と図５を用いてチェックについて説明する。
【００２８】
図４は、チェックの一例である。図４の４0１の磁気文字部に磁気データが埋め込まれている。
【００２９】
図５は、磁気文字部の文字の例である。図５では例として数字の８を表示している。給紙口付近に設置してある磁気データ用センサ１１４からCPUに、図５のようなアナログ信号を送信する。磁気データ用センサ１１４からのアナログ信号を基に各原稿の振り分け先を設定する。
【００３０】
図６は、搬送された原稿毎のテーブル（原稿情報記憶手段）である。
紙番号は、搬送された原稿毎を識別する原稿の番号とし、原稿が給紙センサ１１３を搬送された順に付ける。本発明での原稿毎のテーブルは少なくとも、各紙番号毎の磁気データと、紙番号毎の原稿画像を読み取ったかどうかを示す絵フラグで構成されている。図６の場合、画像読取センサ１１１ｂで画像読取が終わっていたら、絵フラグを１に設定する。
【００３１】
図６の場合、紙番号mの原稿は磁気データmが保存され、絵フラグが１であるので画像読取が終了している。紙番号nの原稿は磁気データnが保存され、絵フラグが0であるので画像読取は終了していない。紙番号N+１の原稿は磁気データが保存されておらず、磁気データ用センサを通過していない事が分かる。また紙番号１や２は正常に排紙されており、紙番号m,m,N+１が残留原稿である事にする。
【００３２】
通常の原稿搬送時には、排紙センサ１１２を通過と同時に対象のレコードを削除していく。よって紙番号１や２のテーブルは削除済みである。
本体カバーが閉じられた後に、画像読取が行われた残留原稿についてはテーブルに保存されている磁気データmから適した排紙トレイに振り分ける。
【００３３】
残留原稿が発生している場合、残留原稿分のテーブルは、残留原稿を排紙した後も保存しておく。図６の場合に、残留原稿の再読取を行った場合にページ順が正しければ１枚目に搬送されてくる原稿は紙番号nであり、磁気データnと同じアナログ波形が得られるはずである。残留原稿の再読取で一枚目に搬送されてきた原稿の磁気データと、磁気データnを比較する。残留原稿の再読取で一枚目に搬送されてきた原稿の磁気データが、磁気データnと同じであれば、原稿の読み取り順序は正しいと判断できる。
【００３４】
残留原稿の再読取で一枚目に搬送されてきた原稿の磁気データが、磁気データnと異なった場合は、正しいページ順で画像読取が行われていない可能性があるので、警告表示を行い操作者に原稿順の確認を行うように促す。  磁気データm(画像読取済の原稿)と、再読込みが行われた際に読み取られた磁気データが同じ場合は、画像読取済みの原稿を再度画像読取しており、ページ順が狂ってしまう。よって、操作者に警告表示を行い操作者に原稿順の確認を行うように促す。  図６に示したテーブルを記憶する領域を不揮発性メモリ上に確保していれば、操作者が誤って電源を落としてしまった場合にも、再読取開始時にテーブルは残る事になる。
【００３５】
また、搬送された原稿毎のテーブルは、磁気データと絵フラグに限定されず、各紙番号毎の画像読取センサ１１１a、１１１bで読み取った画像データの画像パターンで構成されてもよい。その場合、再読取を行った原稿と、保存されている原稿の画像データの画像パターンを比較し、上述したような原稿の読み取り順序の判断や、警告を行う。  従って、残留原稿の原稿情報（磁気データ、画像データ）と、再読取した原稿情報を比較することにより、再読取した原稿のページ順序が正確かどうかを操作者が理解できるため、操作者は読取終了していない残留原稿を正確に再読取することができる。
【００３６】
図７に読取再開後の動作を示すフローチャートを示す。
S７０１で読取再開されたら、給紙トレイ１０４にある原稿が順に給紙されていく。読取再開後１枚目の原稿が磁気データ用センサ１１４を通過した時に原稿の磁気データが読取られる(S７０２)。
【００３７】
磁気データnとS７０２で読取った原稿データを比較し、一致しているかを確認する(S７０３)。一致している場合（S７０３のYES）、ページ順は正しいので画像読取を継続する（S７０４）。一致していない場合（S７０３のNO）、読取済の残留原稿の磁気データと磁気データmを比較し、一致しているかを確認する(S７０５)。  S７０５で画像読取が終了している残留原稿の磁気データmと、読取再開後一枚目の原稿の磁気データを比較して同じであれば（S７０５のYES）、同一原稿を二回読取している事がわかるので、警告表示をする(S７０６)。
【００３８】
S７０５で磁気データが一致しない場合は（S７０５のNO）、原稿の読取順序が狂っている可能性が高いのでページ順確認の警告表示をする(S７０７)。
警告表示をした(S７０６及びS７０７)後に、操作者の読取再会指示を待って(S７０８)、原稿読取を継続する。
【００３９】
また、残留原稿の画像読込が終了している原稿の磁気データmと、再読込みが行われた際に読取られた磁気データが同じ場合は（S７０７のYES）、画像読取済みの原稿を再度画像読取している。この場合、同一原稿を二度読み込んでいるので、同一原稿の画像が二枚存在する事になる。同一原稿の画像が二枚存在する事でページ順が狂ってしまうが、どちらかを破棄すれば原稿のページ順狂いは解消される。
【００４０】
よって、再読取をした原稿の原稿画像を破棄する、もしくは該当した磁気データを持つ残留原稿の原稿画像が記憶してある領域に、再読取した原稿画像を上書きする事で、重複している原稿のうち、どちらかを破棄する事ができる。
なお、どちらかの原稿画像を破棄する前に操作者に原稿画像を表示して破棄をするかどうかを確認してもよい。
【００４１】
また、本発明の画像読取装置１００は単独で、原稿画像などの情報を基に、どのトレイに排紙するかを選択する、原稿の振り分け機能を含むものであってもよい。
【００４２】
以上、本発明の好ましい実施の形態について説明したが、本発明の構成は、これらの実施形態の構成に限定されるものではなく、本発明の精神を逸脱するものでなければ、上記実施の形態の構成を変形又は変更したものは、本発明に含まれる。
【００４３】
また、本発明の目的は、上述した実施の形態の機能を実現するソフトウェアのプログラムコードを記憶した記憶媒体を、システム或いは装置に供給することによっても達成される。その場合、そのシステム或いは装置のコンピュータ（またはＣＰＵやＭＰＵ等）が記憶媒体に格納されたプログラムコードを読み出して実行する。該記憶媒体から読み出されたプログラムコード自体が上述した実施の形態の機能を実現することになり、そのプログラムコード及び該プログラムコードを記憶した記憶媒体は本発明を構成することになる。
【００４４】
また、プログラムコードを供給するための記憶媒体としては、例えば、フレキシブルディスク、ハードディスク、光磁気ディスク等を用いることができる。また、ＣＤ−ＲＯＭ、ＣＤ−Ｒ、ＣＤ−ＲＷ、ＤＶＤ−ＲＯＭ、ＤＶＤ±Ｒ、ＤＶＤ−ＲＡＭ、ＤＶＤ±ＲＷ等の光ディスク、磁気テープ、不揮発性のメモリカード、ＲＯＭ等を用いることができる。また、プログラムコードをネットワークを介してダウンロードしてもよい。
【００４５】
コンピュータが読み出したプログラムコードを実行することにより、上述した実施の形態の機能が実現されるだけではない。すなわち、プログラムコードの指示に基づき、コンピュータ上で稼動しているＯＳ（オペレーティングシステム）等が実際の処理の一部又は全部を行い、その処理によって上述した実施の形態の機能が実現される場合も含まれる。  更に、記憶媒体から読み出されたプログラムコードが、コンピュータに挿入された機能拡張ボードやコンピュータに接続された機能拡張ユニットに備わるメモリに書き込まれる。そして、そのプログラムコードの指示に基づき、その機能拡張ボードや機能拡張ユニットに備わるＣＰＵ等が実際の処理の一部又は全部を行い、その処理によって上述した実施の形態の機能が実現される場合も含まれる。
【００４６】
また、コンピュータが読み出したプログラムコードを実行することにより、上述した各実施の形態の機能が実現されるだけではない。すなわち、プログラムコードの指示に基づき、コンピュータ上で稼働しているＯＳなどが実際の処理の一部又は全部を行い、その処理によって上述した各実施の形態の機能が実現される場合も、本発明に含まれることは云うまでもない。
【００４７】
この場合、上記プログラムは、該プログラムを記憶した記憶媒体から直接、又はインターネット、商用ネットワーク、若しくはローカルエリアネットワーク等に接続された不図示の他のコンピュータやデータベース等からダウンロードすることにより供給される。
【符号の説明】
【００４８】
１０１  第１排紙トレイ
１０２  第２排紙トレイ
１０３  第３排紙トレイ(残留原稿用トレイ)
１０４  給紙トレイ
１０５  原稿搬送用ローラ
１０６原稿搬送路
１０７  第１フラッパー
１０８  第２フラッパー
１０９  給紙ローラ
１１０  原稿検知センサ
１１１a、１１１b  画像読取センサ
１１２  排紙センサ
１１３  給紙センサ
１１４  磁気データ用センサ
４０１  チェック
４０２  磁気文字部
【図１】
2010245661.tif 000003
【図２】
2010245661.tif 000004
【図３】
2010245661.tif 000005
【図４】
2010245661.tif 000006
【図５】
2010245661.tif 000007
【図６】
2010245661.tif 000008
【図７】
2010245661.tif 000009